(57)【要約】  【課題】  データセンター又はサービスセンター側と通信を行わなくても分析結果を入手することができる医療機器メンテナンス方法等を提供する。  【解決手段】  医療機器メンテナンス方法は、医療機器１１の医療用端末において、メンテナンスに必要な医療機器の状態に関する医療機器情報を記録するステップと、最新の集計プログラム及び／又は最新の点検プログラムを要求する要求信号をサーバ２４に送信するステップと、サーバにおいて、検索されたプログラムを医療用端末に送信するステップと、医療用端末において、最新の集計プログラムに基づいて医療機器情報を収集すると共に、最新の集計プログラムに基づいて、収集された医療機器情報を分析して医療機器の自己診断を行うステップとを具備する。【選択図】  図１
2005322096.tif 000002
【特許請求の範囲】
【請求項１】
医療施設に設置された医療機器においてメンテナンスを行う医療用端末と、データセンターに設置された少なくとも１つのサーバとを、ネットワークを介して接続することにより構成される医療機器メンテナンスシステムにおいて用いられる医療機器メンテナンス方法であって、
前記医療用端末において、メンテナンスに必要な医療機器の状態に関する医療機器情報を記録するステップ（ａ）と、
医療機器情報を収集するための最新の集計プログラム、及び／又は、収集された医療機器情報を分析して自己診断を行うための最新の点検プログラムを要求するために、前記医療機器を特定する情報を含む要求信号を前記医療用端末から前記サーバに送信するステップ（ｂ）と、
前記サーバにおいて、該要求信号に含まれている医療機器を特定する情報に基づいて、前記医療機器のための最新の集計プログラム及び／又は最新の点検プログラムを検索し、検索されたプログラムが前記医療機器に未だ送信されていない場合に、該プログラムを前記サーバから前記医療用端末に送信するステップ（ｃ）と、
前記医療用端末において、前記サーバから最新の集計プログラム及び／又は最新の点検プログラムを受信した場合に、該プログラムを記録媒体に記録するステップ（ｄ）と、
前記記録媒体に記録されている最新の集計プログラムに基づいて医療機器情報を収集すると共に、前記記録媒体に記録されている最新の集計プログラムに基づいて、収集された医療機器情報を分析して前記医療機器の自己診断を行うステップ（ｅ）と、
を具備する医療機器メンテナンス方法。
【請求項２】
ステップ（ｂ）が、前記医療用端末を起動する際又は所定の期間毎に、最新の集計プログラム及び／又は最新の点検プログラムを要求する要求信号を前記医療用端末から前記サーバに送信することを含む、請求項１記載の医療機器メンテナンス方法。
【請求項３】
ステップ（ｅ）が、前記医療用端末を起動する際又は所定の期間毎に、前記記録媒体に記録されている最新の集計プログラムに基づいて医療機器情報を収集することを含む、請求項１又は２記載の医療機器メンテナンス方法。
【請求項４】
前記医療用端末によって行われた自己診断において異常が発見された場合に、
収集された医療機器情報をより詳細に分析して前記医療機器の自己診断を行うための第２の点検プログラムを要求するために、前記医療機器を特定する情報及び医療機器情報の分析結果を含む要求信号を前記医療用端末から前記サーバに送信するステップと、
前記サーバにおいて、該要求信号に含まれている医療機器を特定する情報及び医療機器情報の分析結果に基づいて、前記医療機器のための第２の点検プログラムを検索し、検索されたプログラムが前記医療機器に未だ送信されていない場合に、該プログラムを前記サーバから前記医療用端末に送信するステップと、
前記医療用端末において、前記サーバから第２の点検プログラムを受信した場合に、該プログラムを記録媒体に記録するステップと、
医療用端末において、前記記録媒体に記録されている第２の点検プログラムに基づいて、収集された医療機器情報をより詳細に分析して前記医療機器の自己診断を行うステップと、
をさらに具備する請求項１〜３のいずれか１項記載の医療機器メンテナンス方法。
【請求項５】
ステップ（ｅ）において収集された医療機器情報を、医療機器を特定する情報と共に前記医療用端末から前記サーバに送信するステップと、
前記サーバにおいて、複数の医療機器を特定する情報に基づいて、前記複数の医療機器において収集された医療機器情報を分析し、得られた分析結果に基づいて、最新の集計プログラム及び／又は最新の点検プログラムを生成するステップと、
をさらに具備する請求項１〜４のいずれか１項記載の医療機器メンテナンス方法。
【請求項６】
医療施設に設置された医療機器においてメンテナンスを行う医療用端末と、データセンターに設置された少なくとも１つのサーバとを、ネットワークを介して接続することにより構成される医療機器メンテナンスシステムであって、
メンテナンスに必要な医療機器の状態に関する医療機器情報を記録し、医療機器情報を収集するための最新の集計プログラム、及び／又は、収集された医療機器情報を分析して自己診断を行うための最新の点検プログラムを要求するために、前記医療機器を特定する情報を含む要求信号を前記サーバに送信し、前記サーバから最新の集計プログラム及び／又は最新の点検プログラムを受信した場合に、該プログラムを記録媒体に記録し、前記記録媒体に記録されている最新の集計プログラムに基づいて医療機器情報を収集すると共に、前記記録媒体に記録されている最新の集計プログラムに基づいて、収集された医療機器情報を分析して前記医療機器の自己診断を行う医療用端末と、
該要求信号に含まれている医療機器を特定する情報に基づいて、前記医療機器のための最新の集計プログラム及び／又は最新の点検プログラムを検索し、検索されたプログラムが前記医療機器に未だ送信されていない場合に、該プログラムを前記サーバから前記医療用端末に送信する少なくとも１つのサーバと、
を具備する医療機器メンテナンスシステム。
【請求項７】
前記医療用端末によって行われた自己診断において異常が発見された場合に、
前記医療用端末が、収集された医療機器情報をより詳細に分析して前記医療機器の自己診断を行うための第２の点検プログラムを要求するために、前記医療機器を特定する情報及び医療機器情報の分析結果を含む要求信号を前記サーバに送信し、前記サーバから第２の点検プログラムを受信した場合に、該プログラムを記録媒体に記録し、前記記録媒体に記録されている第２の点検プログラムに基づいて、収集された医療機器情報をより詳細に分析して前記医療機器の自己診断を行い、
前記少なくとも１つのサーバが、該要求信号に含まれている医療機器を特定する情報及び医療機器情報の分析結果に基づいて、前記医療機器のための第２の点検プログラムを検索し、検索されたプログラムが前記医療機器に未だ送信されていない場合に、該プログラムを前記サーバから前記医療用端末に送信する、請求項６記載の医療機器メンテナンスシステム。
【請求項８】
前記医療用端末が、収集された医療機器情報を、医療機器を特定する情報と共に前記サーバに送信し、
複数の医療機器を特定する情報に基づいて、前記複数の医療機器において収集された医療機器情報を分析し、得られた分析結果に基づいて、最新の集計プログラム及び／又は最新の点検プログラムを生成する第２のサーバをさらに具備する請求項６又は７記載の医療機器メンテナンスシステム。
【請求項９】
データセンターに設置されたサーバにネットワークを介して接続され、医療施設に設置された医療機器においてメンテナンスを行う医療用端末であって、
医療機器の動作を制御する制御手段と、
メンテナンスに必要な医療機器の状態に関する医療機器情報を収集するための最新の集計プログラム、及び／又は、収集された医療機器情報を分析して自己診断を行うための最新の点検プログラムを要求するために、前記医療機器を特定する情報を含む要求信号を前記サーバに送信し、前記サーバから最新の集計プログラム及び／又は最新の点検プログラムを受信した場合に、該プログラムを記録媒体に記録するプログラム要求手段と、
前記記録媒体に記録されている最新の集計プログラムに基づいて医療機器情報を収集すると共に、前記記録媒体に記録されている最新の点検プログラムに基づいて、収集された医療機器情報を分析して前記医療機器の自己診断を行うメンテナンス手段と、
を具備する医療用端末。
【請求項１０】
前記メンテナンス手段によって行われた自己診断において異常が発見された場合に、
前記プログラム要求手段が、収集された医療機器情報をより詳細に分析して前記医療機器の自己診断を行うための第２の点検プログラムを要求するために、前記医療機器を特定する情報を含む要求信号及び医療機器情報の分析結果を前記サーバに送信し、前記サーバから第２の点検プログラムを受信した場合に、該プログラムを記録媒体に記録し、
前記メンテナンス手段が、前記記録媒体に記録されている第２の点検プログラムに基づいて、収集された医療機器情報をより詳細に分析して前記医療機器の自己診断を行う、請求項９記載の医療用端末。
【請求項１１】
データセンターに設置され、複数の医療施設にそれぞれ設置された複数の医療機器にネットワークを介して接続される少なくとも１つのサーバであって、
前記複数の医療機器の状態に関する医療機器情報を収集するための複数の集計プログラム、及び、収集された医療機器情報を分析して自己診断を行うための複数の点検プログラムを記録媒体に記録して管理するプログラム管理手段と、
最新の集計プログラム及び／又は最新の点検プログラムを要求する要求信号をいずれかの医療機器から受信する受信制御手段と、
前記受信制御手段が該要求信号をいずれかの医療機器から受信した際に、該要求信号に含まれている医療機器を特定する情報に基づいて、前記医療機器のための最新の集計プログラム及び／又は最新の点検プログラムを前記記録媒体において検索し、検索されたプログラムが前記医療機器に未だ送信されていない場合に、該プログラムを前記医療用端末に送信する送信制御手段と、
を具備するサーバ。
【請求項１２】
前記プログラム管理手段が、前記複数の医療機器において収集された医療機器情報をより詳細に分析して自己診断を行うための複数の第２の点検プログラムを前記記録媒体に記録して管理し、
前記受信制御手段が第２の点検プログラムを要求する要求信号をいずれかの医療機器から受信した際に、前記送信制御手段が、該要求信号に含まれている医療機器を特定する情報及び医療機器情報の分析結果に基づいて、前記医療機器のための第２の点検プログラムを前記記録媒体において検索し、検索されたプログラムが前記医療機器に未だ送信されていない場合に、該プログラムを前記医療用端末に送信する、請求項１１記載のサーバ。
【請求項１３】
前記少なくとも１つのサーバが第２のサーバを含み、前記第２のサーバが、
前記複数の医療機器において集計プログラムに基づいて収集された医療機器情報を、医療機器を特定する情報と共に受信して管理する集計結果管理手段と、
前記複数の医療機器を特定する情報に基づいて、前記複数の医療機器において収集された医療機器情報に対して統計処理及び／又は分析処理を施す統計分析手段と、
前記統計分析手段によって得られた結果に基づいて、最新の集計プログラム及び／又は最新の点検プログラムを生成するプログラム生成手段と、
を具備する請求項１１又は１２記載のサーバ。
【発明の詳細な説明】
【技術分野】
【０００１】
本発明は、医療機器のメンテナンスを遠隔的に行う医療機器メンテナンス方法及びシステムに関する。さらに、本発明は、そのような医療機器メンテナンスシステムにおいて用いられる医療用端末及びサーバに関する。
【背景技術】
【０００２】
従来より、開業医や病院等の医療施設において、放射線（Ｘ線、α線、β線、γ線、電子線、紫外線等）、超音波、ＭＲ（磁気共鳴）等を利用した医用画像撮影装置を用いて、医用画像が撮影されている。このような医用画像は、患者の病状の変化を知るために保管しておく必要があり、法律によっても所定期間の保管が義務付けられている。従って、医療施設においては、大量の医用画像を保管する必要が生じる。従来は、医用画像が撮影されたフィルム等を保管していたので、医用画像の保管スペースの確保や、管理作業及び検索作業が、医療施設にとって大きな負担となっていた。
【０００３】
一方、近年においては、医用画像撮影装置のディジタル化が進んでおり、医用画像を画像データとして光ディスクや磁気ディスク等に記録することにより、医用画像の保管スペースを削減したり、管理作業及び検索作業を省力化することが可能となる。しかしながら、１枚の医用画像を表す画像データの量は膨大であるので、光ディスクに記録したとしても、画像データを所定期間保管するためには、相当の枚数の光ディスクを要することになる。
【０００４】
このような問題を解決するために、下記の特許文献１には、医療施設における医用画像データを保管するスペースを大幅に削減し、多額の費用を要さず、簡易な作業で医用データを保管し管理することを可能とする医用画像集中管理システムが開示されている。この医用画像集中管理システムにおいては、医療施設で撮影された医用画像をディジタル信号に変換した画像データ等を、クライアント端末に備えられたハードディスクに記録蓄積する。クライアント端末は、通信回線を介して、プロバイダに備えられた画像データベースサーバと接続し、パスワードの照合を条件として、画像データ等の送受信、及び、画像データベースサーバに保管されている画像データの検索を行う。
【０００５】
この医用画像集中管理システムによれば、医療施設から離れた場所に設置された画像データベースサーバに、医療施設の有する医用画像データを保管することが可能となるので、医療施設が個別に医用画像データが記録された記録媒体を保管する必要がなくなり、そのためのスペースや、スペースを確保するための費用が削減できる。また、画像データベースサーバに保管されている画像データの検索を行うことによって、画像データベースサーバに保管されている画像データによって表される画像を、クライアント端末において参照することができる。
【０００６】
一方、医用画像撮影装置等の医療機器においては、撮影によって劣化した部品等により生じる不具合を防ぐために、医療機器の点検及び保守を定期的に行う必要がある。しかしながら、医療機器の点検を行う時期は医療機器を使用する頻度によるので、医療機器を使用した回数等をカウントし、その使用回数等に基づいて医療機器の点検及び保守をサービス会社に依頼してサービスマンを呼び出すことになる。したがって、医療機器の管理者等は、その使用回数等を監視する必要があり、煩雑であった。
【０００７】
また、医療機器に偶発的な不具合が生じた場合にも、医療機器の点検及び保守をサービス会社に依頼してサービスマンを呼び出す必要があり、さらにこの場合には、故障箇所の特定に時間がかかるので、医用画像撮影装置の復旧までには多くの時間を要するという問題があった。
【０００８】
そこで、医療施設から離れた場所にあるサービスセンターに設置されたメンテナンスサーバに、医用画像撮影装置において行われた自己診断の結果を送信し、その自己診断の結果をサービスセンターにおいて確認することによって点検を行うことができるメンテナンス支援システムが実現されている。
【０００９】
関連する技術として、下記の特許文献２には、ＭＲＩ装置の故障など障害の際に、新たに装置構成の調査を行う必要を極力少なくして、部品の発送等を迅速化し、修理をすばやく行うことのできるメンテナンス支援装置が開示されている。このメンテナンス支援装置は、ＭＲＩ装置の各種設定や各部動作状態等のＭＲＩ装置で自動的に測定されたデータと、点検や保守等の手動で入力されたデータとを、一元的に記憶する記憶装置を備えているので、これら２種類のデータをスムーズに得ることができる。これにより、早期に故障の修理を行ったり、事前に故障を防止することが可能である。しかしながら、分析結果を閲覧するためには、医療機関の操作者が通信回線を介してメンテナンス支援装置に結果閲覧要求を送信することにより、メンテナンス支援装置から通信回線を介してＭＲＩ装置に分析結果や解析状況を返信させる必要があり、通信回線が不通になった場合等には、医療機関側で問題を解決することができない。
【００１０】
また、下記の特許文献３には、医療品がどの適応病名に使われているかや、１日当りどれだけ投与されているかについて、複数の医療機関のデータを自動的に調査する診療データ調査分析システムが開示されている。この診療データ調査分析システムは、医療機関の診療データ記録装置と、データマネージメントセンターの調査分析装置との間で、通信ネットワークを介してデータ送受信可能とすることにより構成される。調査分析装置は、ネットワークを介して顧客コンピュータから調査依頼を受けると、そのためにはどのようなデータを集めれば良いか先ず依頼内容を分析し、診療データ記録装置からデータを収集する複数種類の集計プログラムの内、調査に相応しい集計プログラムを選択する。選択された集計プログラムは、複数の医療機関に置かれた診療データ記録装置に送られ、データが回収される。このように、調査のためのデータ集めを集計プログラムによって自動化したことにより、従来の紙による調査とは違って医師に負担を掛けることなく短時間で調査が実施できる。しかしながら、特許文献３には、医療機関のメンテナンスについては記載されていない。
【特許文献１】特開２００２−２４３９４号公報（第１頁、図１）
【特許文献２】特開２００３−２６００３９号公報（第１頁、図１）
【特許文献３】特開２００３−３１６９０１号公報（第１，４，６頁、図１）
【発明の開示】
【発明が解決しようとする課題】
【００１１】
そこで、上記の点に鑑み、本発明は、データセンター又はサービスセンター側と通信を行わなくても分析結果を入手することができる医療機器メンテナンス方法及びシステムを提供することを目的とする。さらに、本発明は、そのような医療機器メンテナンスシステムにおいて用いられる医療用端末及びサーバを提供することを目的とする。
【課題を解決するための手段】
【００１２】
上記課題を解決するため、本発明に係る医療機器メンテナンス方法は、医療施設に設置された医療機器においてメンテナンスを行う医療用端末と、データセンターに設置された少なくとも１つのサーバとを、ネットワークを介して接続することにより構成される医療機器メンテナンスシステムにおいて用いられる医療機器メンテナンス方法であって、医療用端末において、メンテナンスに必要な医療機器の状態に関する医療機器情報を記録するステップ（ａ）と、医療機器情報を収集するための最新の集計プログラム、及び／又は、収集された医療機器情報を分析して自己診断を行うための最新の点検プログラムを要求するために、医療機器を特定する情報を含む要求信号を医療用端末からサーバに送信するステップ（ｂ）と、サーバにおいて、該要求信号に含まれている医療機器を特定する情報に基づいて、医療機器のための最新の集計プログラム及び／又は最新の点検プログラムを検索し、検索されたプログラムが医療機器に未だ送信されていない場合に、該プログラムをサーバから医療用端末に送信するステップ（ｃ）と、医療用端末において、サーバから最新の集計プログラム及び／又は最新の点検プログラムを受信した場合に、該プログラムを記録媒体に記録するステップ（ｄ）と、記録媒体に記録されている最新の集計プログラムに基づいて医療機器情報を収集すると共に、記録媒体に記録されている最新の集計プログラムに基づいて、収集された医療機器情報を分析して医療機器の自己診断を行うステップ（ｅ）とを具備する。
【００１３】
また、本発明に係る医療機器メンテナンスシステムは、医療施設に設置された医療機器においてメンテナンスを行う医療用端末と、データセンターに設置された少なくとも１つのサーバとを、ネットワークを介して接続することにより構成される医療機器メンテナンスシステムであって、メンテナンスに必要な医療機器の状態に関する医療機器情報を記録し、医療機器情報を収集するための最新の集計プログラム、及び／又は、収集された医療機器情報を分析して自己診断を行うための最新の点検プログラムを要求するために、医療機器を特定する情報を含む要求信号をサーバに送信し、サーバから最新の集計プログラム及び／又は最新の点検プログラムを受信した場合に、該プログラムを記録媒体に記録し、記録媒体に記録されている最新の集計プログラムに基づいて医療機器情報を収集すると共に、記録媒体に記録されている最新の集計プログラムに基づいて、収集された医療機器情報を分析して医療機器の自己診断を行う医療用端末と、該要求信号に含まれている医療機器を特定する情報に基づいて、医療機器のための最新の集計プログラム及び／又は最新の点検プログラムを検索し、検索されたプログラムが医療機器に未だ送信されていない場合に、該プログラムをサーバから医療用端末に送信する少なくとも１つのサーバとを具備する。
【００１４】
さらに、本発明に係る医療用端末は、データセンターに設置されたサーバにネットワークを介して接続され、医療施設に設置された医療機器においてメンテナンスを行う医療用端末であって、医療機器の動作を制御する制御手段と、メンテナンスに必要な医療機器の状態に関する医療機器情報を収集するための最新の集計プログラム、及び／又は、収集された医療機器情報を分析して自己診断を行うための最新の点検プログラムを要求するために、医療機器を特定する情報を含む要求信号をサーバに送信し、サーバから最新の集計プログラム及び／又は最新の点検プログラムを受信した場合に、該プログラムを記録媒体に記録するプログラム要求手段と、記録媒体に記録されている最新の集計プログラムに基づいて医療機器情報を収集すると共に、記録媒体に記録されている最新の点検プログラムに基づいて、収集された医療機器情報を分析して医療機器の自己診断を行うメンテナンス手段とを具備する。
【００１５】
加えて、本発明に係るサーバは、データセンターに設置され、複数の医療施設にそれぞれ設置された複数の医療機器にネットワークを介して接続される少なくとも１つのサーバであって、複数の医療機器の状態に関する医療機器情報を収集するための複数の集計プログラム、及び、収集された医療機器情報を分析して自己診断を行うための複数の点検プログラムを記録媒体に記録して管理するプログラム管理手段と、最新の集計プログラム及び／又は最新の点検プログラムを要求する要求信号をいずれかの医療機器から受信する受信制御手段と、受信制御手段が該要求信号をいずれかの医療機器から受信した際に、該要求信号に含まれている医療機器を特定する情報に基づいて、医療機器のための最新の集計プログラム及び／又は最新の点検プログラムを記録媒体において検索し、検索されたプログラムが医療機器に未だ送信されていない場合に、該プログラムを医療用端末に送信する送信制御手段とを具備する。
【発明の効果】
【００１６】
本発明によれば、サーバから供給された最新の集計プログラム及び／又は最新の点検プログラムに基づいて、収集された医療機器情報を分析して医療機器の自己診断を行うことにより、データセンター又はサービスセンター側と通信を行わなくても分析結果を入手することができる。
【発明を実施するための最良の形態】
【００１７】
以下、本発明を実施するための最良の形態について、図面を参照しながら詳しく説明する。なお、同一の構成要素には同一の参照番号を付して、説明を省略する。
図１は、本発明の一実施形態に係る医療機器メンテナンスシステムの構成を示す概略図である。図１に示すように、この医療機器メンテナンスシステムは、診療所や病院等の複数の医療施設１０が、専用回線又は公衆電話交換網（ＰＳＴＮ）又はインターネット等のネットワーク３０を介して、データセンター２０に接続されることにより構成される。
【００１８】
各々の医療施設１０には、一例として、放射線撮影を行うための医療機器１１と、ＭＲＩ撮影を行うための医療機器１２と、不正アクセスを防止するためのファイアウォール（ＦＷ）１３等が、ローカルエリアネットワーク（ＬＡＮ）を介して接続されている。これらの医療機器は、医療機器の状態に関する情報（医療機器情報）を記録し、データセンター２０から供給される集計プログラムに基づいて、記録されている医療機器情報を収集する。医療機器情報には、例えば、入力される設定情報、患者の年齢等の情報、撮影又はフィルムへの印刷等の操作ログ（履歴情報）や各種のイベントログ等の運用情報、エラーログやウォーニングログ等のエラー情報等が含まれる。また、これらの医療機器は、データセンター２０から供給される点検プログラムに基づいて、集計結果を分析することにより自己診断を行うことができる。
【００１９】
データセンター２０には、医療機器１１又は１２からのアクセスに対して認証を行う認証サーバ２１と、認証に必要なユーザ情報を格納する認証データベース（ＤＢ）２１ａが記録されているハードディスク等の記録媒体と、不正アクセスを防止するためのファイアウォール（ＦＷ）２２と、医療機器１１又は１２から送信される医療データを管理するデータベースサーバ２３と、医療データを蓄積する医療データベース（ＤＢ）２３ａが記録されているハードディスク等の記録媒体とが設置されている。なお、認証サーバ２１は、データセンター２０の外部に設置されるようにしても良い。
【００２０】
また、データセンター２０には、メンテナンスに用いられる集計結果を表す集計結果データを複数の医療機器から受信して管理し、集計結果データを送信した医療機器に返送される各種の集計プログラム及び点検プログラムを管理するＦＴＰ（file transfer protocol：ファイル転送プロトコル）サーバ２４と、集計結果データを蓄積する集計結果データベース（ＤＢ）２４ａが記録されているハードディスク等の記録媒体と、各医療施設に設置されている医療機器に関する設備管理情報を格納する設備管理データベース（ＤＢ）２４ｂが記録されているハードディスク等の記録媒体と、各種の集計プログラム及び点検プログラムを格納するプログラムデータベース（ＤＢ）２４ｃが記録されているハードディスク等の記録媒体とが設置されている。
【００２１】
さらに、データセンター２０には、集計結果データベース２４ａに蓄積されている集計結果データと、設備管理データベース２４ｂに格納されている設備管理情報とに基づいて、最新の集計プログラム及び点検プログラムを生成する分析サーバ２５が設置されている。なお、分析サーバ２５は、集計プログラムと点検プログラムとの内の一方を生成するようにしても良いし、分析サーバ２５の機能をＦＴＰサーバ２４に持たせるようにしても良い。
【００２２】
本実施形態においては、医療施設１０の医療機器１１又は１２が、プログラムデータベース２４ｃに格納されている集計プログラム及び点検プログラムをダウンロードして、集計プログラムに基づいて情報を集計し、点検プログラムに基づいて集計結果データを分析することにより自己診断を行う。さらに、データセンター２０の分析サーバ２５が、各医療施設に設置されている医療機器に関する設備管理情報に基づいて、医療機器１１又は１２から送信された集計結果データを分析し、最新の集計プログラム及び点検プログラムを生成することにより、医療機器毎に適した自己診断を行えるようにして、さらに自己診断の精度を上げることができる。
【００２３】
次に、医療機器の例として、放射線撮影を行うための医療機器（放射線撮影装置）１１について、図２を参照しながら説明する。図２に示すように、医療機器１１は、被検者に放射線を照射して撮影を行うことにより記録シート１に放射線画像を記録する撮像装置４０と、記録シート１に記録された放射線画像等の情報を光電的に読み取って画像データを生成する画像読取装置５０と、撮影装置４０を制御し、画像読取装置５０から医用画像を表す画像データ等の医療データを入力してデータセンター２０に転送する医療用端末６０と、医用画像をフィルム等にプリントアウトするためのプリンタ１４とを含んでいる。
【００２４】
記録シート１は、輝尽性蛍光体物質を塗布したものであり、放射線が照射されることにより被写体の情報が記録される。輝尽性蛍光体（蓄積性蛍光体）とは、放射線を照射するとその放射線エネルギの一部が蓄積され、その後、可視光等の励起光を照射すると、蓄積されたエネルギに応じて輝尽発光する物質である。
【００２５】
撮像装置４０は、所定の位置にセットされた記録シート１の位置を上下に移動させて微調整することにより被検者における撮影位置を昇降させる撮影位置昇降機構４１と、被検者の足の位置を決める撮影台４２と、被検者に放射線を照射する放射線発生部４３と、医療用端末６０から制御信号が入力されるインタフェース４４とを含んでいる。
【００２６】
画像読取装置５０は、レーザ光源５１から出射し、光走査部５２を通った光ビームによって、所定の位置にセットされた記録シート１の表面を走査する。この走査により光ビームが記録シート１に照射され、光ビームが照射された箇所から蓄積記録された放射線画像情報に応じた光量の輝尽発光光が生じる。輝尽発光光は、フォトマルチプライヤ（光電子増倍管）５３により光電的に検出され、アナログ信号として出力されて増幅器５４により増幅され、Ａ／Ｄ変換器５５によりディジタル化される。また、記録シート１を格納するカセッテに付されたバーコードが、バーコードリーダ５６により読み取られ、読み取られたバーコード情報は、患者情報及び検査情報に対応する画像付帯情報として使用される。このようにして生成された画像データと画像付帯情報とが、出力部５７からＬＡＮを介して医療用端末６０に送信される。
【００２７】
医療用端末６０は、オペレータの指示に従って撮像装置４０を制御すると共に、画像読取装置５０から画像データを入力して一時的に格納する。医療用端末６０においては、画像データに対して画像処理を施したり、画像データに基づいて診断用の画像をディスプレイ等に表示することができる。ただし、毎日蓄積される画像データの量は膨大であるので、医療施設に長期間保存することはせずに、医療施設から離れた場所にあるデータセンターに転送し、そこで保管するようにしている。これにより、医療施設において、医療データが記録された記録媒体を保管するためのスペースや、スペースを確保するための費用が削減できる。
【００２８】
図３は、医療施設に設置されている医療用端末の構成を示すブロック図である。医療用端末６０は、各種の指示等を入力するために用いられるキーボードやマウス等の入力部６１と、画像読取装置５０から入力される画像データによって表される医用画像等を表示するＣＲＴ又はＬＣＤディスプレイ等の表示部６２と、記録シート１を格納するカセッテに付されたバーコードを読み取るバーコードリーダ６３と、インタフェース７０を介して入力部６１及び表示部６２に接続され、インタフェース７１を介して撮像装置に接続された中央演算装置（以下、ＣＰＵという）６４と、メモリ６５と、ハードディスク６６と、ハードディスク６６におけるデータの書込み及び読出しを制御するハードディスク制御部６７と、ＤＶＤに対してデータの書込み及び読出しを行うＤＶＤドライブ６８と、ＬＡＮに接続するためのネットワークインタフェース６９とを含んでいる。これらの部分６３〜６９は、バスラインを介して相互に接続されている。
【００２９】
撮影前に予めバーコードリーダ６３を用いてカセッテから読み取られたバーコード情報に基づいて、画像読取装置５０（図２）によって読み取られた医用画像と、医療用端末６０が格納している患者情報及び検査情報とが対応付けられる。
【００３０】
メモリ６５は、画像読取装置５０から入力される画像データ等の医療データ等を一時的に格納する。ハードディスク６６は、収集された医療機器情報、過去の点検結果データ、及び、ＦＴＰサーバ６４から供給される集計プログラム及び点検プログラムを記録する。また、ハードディスク６６には、ＣＰＵ６４に基本動作を行わせるためのプログラムが記録されている。ここで、集計プログラム及び点検プログラムは、自己診断の精度を向上させるために更新されるプログラムであり、ＣＰＵ６４に基本動作を行わせるためのプログラムは、更新されない基本プログラムである。なお、プログラムを記録する記録媒体としては、内蔵のハードディスク６６の他に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００３１】
次に、ＣＰＵ６４とソフトウェア（プログラム）とによって構成される機能ブロック６４ａ〜６４ｉについて説明する。
撮影制御部６４ａは、メモリ６５に記憶されている患者属性情報及び検査属性情報に基づいて、検査を開始するように、インタフェース７１を介して撮像装置４０を制御する。
【００３２】
画像処理部６４ｂは、画像読取装置５０から受信された画像データに必要な画像処理を施し、表示部６２に表示するための表示データを生成する。また、画像処理部６４ｂは、集計制御部６４ｇによって生成される集計結果データや、概要点検制御部６４ｈ及び詳細点検制御部６４ｉによって生成される点検結果データに基づいて、表示部６２に表示するための表示データを生成する。表示データは、出力部６４ｃからインタフェース７０を介して表示部６２に供給されて、表示部６２において画像が表示され、その画像がオペレータによって確認される。また、必要な画像処理が施された画像データ等の医療データは、メモリ６５に格納され、さらに、設定された条件に従って、ハードディスク制御部６７によって、ハードディスク６６に記録される。
【００３３】
撮像装置４０及び画像読取装置５０を用いて所望の画像データが得られると、画像データ等の医療データをデータセンター２０に保管するために、入力部６１を用いたオペレータの指示、又は、設定された条件に従って、送信制御部６４ｄが、データセンター２０に対してアクセスを開始する。データセンター２０においては、個人情報の漏洩や医用画像データの改竄等を防止するために、データベースサーバ２３（図１）へのアクセスに認証を要求し、認証により許可されるまでは、データベースサーバ２３へのアクセスを禁止している。
【００３４】
送信制御部６４ｄは、データセンター２０の認証サーバ２１（図１）に対してアクセス権を照会し、認証サーバ２１においてアクセス権が認められると、メモリ６５又はハードディスク６６等に格納されている医療データをデータベースサーバ２３に送信して、医療データベース２３ａの記録媒体に記録させる。
【００３５】
また、集計情報記録部６４ｅは、入力部６１等を用いて入力される設定情報、患者の年齢等の情報、撮影やフィルムへの印刷等の操作ログや各種のイベントログ等の運用情報、エラーログやウォーニングログ等のエラー情報等を含む医療機器情報をハードディスク６６に記録する。例えば、ウォーニングログとして、「放射線の線量が低下している」等のウォーニングがハードディスク６６に記録され、そのウォーニングと共に、放射線を発生させるために用いられた管電流値、管電圧値、主回路の電流値や、放射線の発生回数が運用情報として記録される。
【００３６】
集計情報記録部６４ｅによってハードディスク６６に記録された医療機器情報を収集するために、プログラム要求部６４ｆが、撮影制御端末６０の起動時又は所定の期間毎に、医療機器１１のための最新の集計プログラムを送信するように、要求元の医療機器を特定する情報を含む集計プログラム要求信号を、ＦＴＰサーバ２４に送信する。
【００３７】
ＦＴＰサーバ２４は、医療機器１１のための最新の集計プログラムであって、医療機器１１が未だダウンロードしていない集計プログラムを保有する場合に、その集計プログラムを医療機器１１の医療用端末６０に送信する。医療用端末６０のプログラム要求部６４ｆは、その集計プログラムを受信して、ハードディスク６６に記録する。ハードディスク６６に記憶された集計プログラムがＣＰＵ６４によって実行されると、ＣＰＵ６４と集計プログラムとは、集計制御部６４ｇを構成する。
【００３８】
集計制御部６４ｇは、集計情報記録部６４ｅによって記録された医療機器情報を収集し、収集された医療機器情報を表す集計結果データを生成して、集計結果データを、送信元の医療機器を特定する情報と共に、ＦＴＰサーバ２４に送信する。送信された集計結果データは、ＦＴＰサーバ２４によって、設備管理情報に対応して集計結果データベース２４ａに記録される。また、集計結果データに基づいて、画像処理部６４ｂによって表示部６２に集計結果が表示される。
【００３９】
集計制御部６４ｇによって収集された医療機器情報に基づいて自己診断を行う際には、入力部６１を用いたオペレータの指示、又は、設定された条件に従って、プログラム要求部６４ｆが、医療機器１１のための最新の概要点検プログラムを送信するように、要求元の医療機器を特定する情報を含む概要点検プログラム要求信号をＦＴＰサーバ２４に送信する。なお、概要点検プログラム要求信号の送信は、集計プログラム要求信号の送信と同時に行うようにしても良い。
【００４０】
ＦＴＰサーバ２４は、医療機器１１のための最新の概要点検プログラムであって、医療機器１１が未だダウンロードしていない概要点検プログラムを保有する場合に、その概要点検プログラムを医療機器１１の医療用端末６０に送信する。プログラム要求部６４ｆは、その概要点検プログラムを受信して、ハードディスク６６に記録する。ハードディスク６６に記憶された概要点検プログラムがＣＰＵ６４によって実行されると、ＣＰＵ６４と概要点検プログラムとは、概要点検制御部６４ｈを構成する。
【００４１】
概要点検制御部６４ｈは、集計制御部６４ｇによって収集された医療機器情報（集計結果データ）と、ハードディスク６６に記録されている過去の点検結果データとに基づいて分析を行うことにより、医療機器１１の自己診断を行って、概要点検の結果を作成する。概要点検制御部６４ｈによって作成された概要点検の結果は、画像処理部６４ｂによって表示部６２に表示される。
【００４２】
さらに、概要点検制御部６４ｈによって行われた自己診断において異常が発見された場合に、処理負荷がより高い詳細な分析処理を行うための再点検が必要だと判断されると、入力部６１を用いたオペレータの指示、又は、設定された条件に従って、プログラム要求部６４ｆが、医療機器１１の症状に合わせた詳細点検プログラムを送信するように、要求元の医療機器を特定する情報及び概要点検の結果を含む詳細点検プログラム要求信号をＦＴＰサーバ２４に送信する。
【００４３】
ＦＴＰサーバ２４は、医療機器１１の症状に合わせた詳細点検プログラムであって、医療機器１１が未だダウンロードしていない詳細点検プログラムを保有する場合に、その詳細点検プログラムを医療機器１１の医療用端末６０に送信する。プログラム要求部６４ｆは、その詳細点検プログラムを受信して、ハードディスク６６に記録する。ハードディスク６６に記憶された詳細点検プログラムがＣＰＵ６４によって実行されると、ＣＰＵ６４と詳細点検プログラムとは、詳細点検制御部６４ｉを構成する。
【００４４】
詳細点検制御部６４ｉは、集計制御部６４ｇによって収集された医療機器情報（集計結果データ）と、ハードディスク６６に記録されている過去の点検結果データとに基づいて詳細な分析を行うことにより、医療機器１１の自己診断を行って、詳細点検の結果を作成する。詳細点検制御部６４ｉによって作成された詳細点検の結果は、画像処理部６４ｂによって表示部６２に表示される。
【００４５】
なお、本実施形態においては、撮影制御部６４ａ、画像処理部６４ｂ、出力部６４ｃ、送信制御部６４ｄ、集計情報記録部６４ｅ、プログラム要求部６４ｆを、ＣＰＵと基本ソフトウェアで構成したが、ディジタル回路やアナログ回路で構成しても良い。
【００４６】
図４は、データセンターに設置されているＦＴＰサーバの構成を示すブロック図である。ＦＴＰサーバ２４は、各種の指示等を入力するために用いられる入力部８１と、操作のための表示を行う表示部８２と、インタフェース８９を介して入力部８１及び表示部８２が接続された中央演算装置（以下、ＣＰＵという）８３と、メモリ８４と、ハードディスク８５と、ハードディスク８５を制御するハードディスク制御部８６と、ＬＡＮに接続するためのネットワークインタフェース８７と、各種のデータベースが格納されているハードディスク等の記録媒体を制御するためのインタフェース８８とを含んでいる。これらの部分８３〜８８は、バスラインを介して相互に接続されている。なお、各種のデータベースには、集計結果データベース（ＤＢ）２４ａ、設備管理データベース（ＤＢ）２４ｂ、及び、プログラムデータベース（ＤＢ）２４ｃが含まれている。
【００４７】
メモリ８４は、複数の医療機器から受信した集計結果データ、集計プログラム要求信号、概要点検プログラム要求信号、及び、詳細点検プログラム要求信号と、分析サーバ２５から受信した集計結果要求信号、集計プログラム、概要点検プログラム、及び、詳細点検プログラムとを一時的に格納する。ハードディスク８５には、ＣＰＵ８３に動作を行わせるためのソフトウェア（プログラム）が記録されている。なお、プログラムを記録する記録媒体としては、内蔵のハードディスク８５の他に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００４８】
次に、ＣＰＵ８３とソフトウェア（プログラム）とによって構成される機能ブロック８３ａ〜８３ｄについて説明する。
受信制御部８３ａは、複数の医療機器から集計結果データ、集計プログラム要求信号、概要点検プログラム要求信号、及び、詳細点検プログラム要求信号を受信すると共に、分析サーバ２５から集計結果要求信号、集計プログラム、概要点検プログラム、及び、詳細点検プログラムを受信する。
【００４９】
集計結果管理部８３ｂは、受信制御部８３ａによって複数の医療機器から受信された集計結果データを、要求元の医療機器を特定する情報に基づいて、当該医療機器に関する設備管理情報に対応させて、集計結果データベース２４ａの記録媒体に記録して管理する。また、集計結果管理部８３ｂは、受信制御部８３ａによって分析サーバ２５から集計結果要求信号が受信された際には、集計結果データベース２４ａに記録されている集計結果データを、当該集計結果に対応する設備管理情報と共に、分析サーバ２５に送信する。
【００５０】
プログラム管理部８３ｃは、受信制御部８３ａによって受信された集計プログラム、概要点検プログラム、及び、詳細点検プログラムを、プログラムデータベース２４ｃの記録媒体に記録して管理する。
【００５１】
送信制御部８３ｄは、受信制御部８３ａによって集計プログラム要求信号、概要点検プログラム要求信号、又は、詳細点検プログラム要求信号がいずれかの医療機器から受信された際には、該要求信号と設備管理データベース２４ｂに記録されている設備管理情報とに基づいて、その医療機器のための最新の集計プログラム又は概要点検プログラム、あるいは、その医療機器のための詳細点検プログラムを要求元の医療機器に送信する。
【００５２】
なお、本実施形態においては、受信制御部８３ａ、集計結果管理部８３ｂ、プログラム管理部８３ｃ、送信制御部８３ｄを、ＣＰＵとソフトウェアで構成したが、ディジタル回路やアナログ回路で構成しても良い。
【００５３】
図５は、データセンターに設置されている分析サーバの構成を示すブロック図である。分析サーバ２５は、各種の指示等を入力するために用いられる入力部９１と、操作のための表示を行う表示部９２と、インタフェース９８を介して入力部９１及び表示部９２が接続された中央演算装置（以下、ＣＰＵという）９３と、メモリ９４と、ハードディスク９５と、ハードディスク９５を制御するハードディスク制御部９６と、ＬＡＮに接続するためのネットワークインタフェース９７とを含んでいる。これらの部分９３〜９７は、バスラインを介して相互に接続されている。
【００５４】
メモリ９４は、ＦＴＰサーバ２４によって集計結果データベース（ＤＢ）２４ａから読み出された集計結果データ、及び、設備管理データベース（ＤＢ）２４ｂから読み出された設備管理情報を一時的に格納する。ハードディスク９５には、ＣＰＵ９３に動作を行わせるためのソフトウェア（プログラム）が記録されている。なお、プログラムを記録する記録媒体としては、内蔵のハードディスク９５の他に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００５５】
次に、ＣＰＵ９３とソフトウェア（プログラム）とによって構成される機能ブロック９３ａ〜９３ｄについて説明する。
集計結果収集部９３ａは、集計結果要求信号をＦＴＰサーバ２４に送信し、集計結果データベース（ＤＢ）２４ａに記録されている複数の医療機器から送信された集計結果を、対応する設備管理情報と共に、ＦＴＰサーバ２４から受信することにより、集計結果を収集する。
【００５６】
統計分析処理部９３ｂは、設備管理情報に基づいて、医療機器の種別毎に、集計結果収集部９３ａによって収集された集計結果データに対して統計処理及び／又は分析処理を施すことにより、分析結果データを生成する。分析結果としては、例えば、機器種別毎における障害が発生する前の動作パターンや、年齢毎の患者数や、フィルムの出力枚数等の運用情報の平均、最小、及び、最大等の統計情報が該当する。
【００５７】
集計プログラム生成部９３ｃは、統計結果分析部９３ｃによって生成された分析結果に基づいて、集計プログラムを生成し、ＦＴＰサーバ２４に送信する。ＦＴＰサーバ２４は、受信した集計プログラムを、プログラムデータベース２４ｃに記録する。これによって、最新の集計プログラムが、プログラムデータベース２４ｃに記録される。
【００５８】
点検プログラム生成部９３ｄは、統計結果分析部９３ｃによって生成された分析結果に基づいて、概要点検プログラム及び詳細点検プログラムを生成し、ＦＴＰサーバ２４に送信する。ＦＴＰサーバ２４は、受信した概要点検プログラム及び詳細点検プログラムを、プログラムデータベース２４ｃに記録する。これによって、最新の概要点検プログラム及び詳細点検プログラムが、プログラムデータベース２４ｃに記録される。
【００５９】
このようにして、機器種別毎に詳細な統計処理及び／又は分析処理を行って、最新の集計プログラム、最新の概要点検プログラム、及び、最新の詳細点検プログラムを機器種別毎に生成することにより、各医療機器における自己診断の精度を向上させることができる。また、機器種別は、機器の型番のみに限らず、医療機器が医療施設に設置された時期等を含んでも良い。例えば、医療施設に設置されてから１年間トラブルが無い医療機器のみを抽出し、その医療機器における集計結果に基づいて分析を行っても良い。
【００６０】
なお、本実施形態においては、集計結果収集部９３ａ、統計分析処理部９３ｂ、集計プログラム生成部９３ｃ、点検プログラム生成部９３ｄを、ＣＰＵとソフトウェアで構成したが、ディジタル回路やアナログ回路で構成しても良い。
【００６１】
次に、本実施形態に係る医療機器メンテナンスシステムの動作について、図１〜図９を参照しながら説明する。
図６は、本実施形態に係る医療機器メンテナンスシステムの医療データの保存における動作を示すフローチャートである。
【００６２】
まず、図６のステップＳ１において、医療用端末６０が、診断目的の撮影によって得られた医用画像を表す画像データ等の医療データを画像読取装置５０から入力し、メモリ６５又はハードディスク６６等の格納手段に格納する。次に、ステップＳ２において、医療用端末６０の送信制御部６４ｄが、データセンター２０の認証サーバ２１に対して、アクセス権を照会する。認証サーバ２１によってアクセス権が認められると、ステップＳ３において、送信制御部６４ｄが、格納されている画像データ等の医療データを、データセンター２０のデータベースサーバ２３に送信する。
【００６３】
ステップＳ４において、データベースサーバ２３が、医療データを受信する。ステップＳ５において、データベースサーバ２３が、受信した医療データを、医療データベース２３ａの記録媒体に記録する。これにより、医療データが、データセンター２０に保管される。
【００６４】
図７及び図８は、自己診断における本実施形態に係る医療機器メンテナンスシステムの動作を示すフローチャートである。まず、ステップＳ１１において、医療用端末６０の集計情報記録部６４ｅが、メンテナンスに用いられる医療機器情報をハードディスク６６に記録する。
【００６５】
次に、ステップＳ１２において、プログラム要求部６４ｆが、設定された条件に従って、医療機器１１のための最新の集計プログラムを送信するように、要求元の医療機器を特定する情報を含む集計プログラム要求信号を、データセンター２０のＦＴＰサーバ２４に送信する。
【００６６】
ステップＳ１３において、ＦＴＰサーバ２４の受信制御部８３ａが、集計プログラム要求信号を受信する。ステップＳ１４において、プログラム管理部８３ｃが、受信制御部８３ａによって受信された集計プログラム要求信号に含まれている要求元の医療機器を特定する情報に基づいて、集計プログラム要求信号を送信した医療用端末６０に対応する設備管理情報を検索する。
【００６７】
ステップＳ１５において、プログラム管理部８３ｃが、ステップＳ１４において検索した設備管理情報に基づいて、医療機器１１が未だダウンロードしていない最新の集計プログラムをプログラムデータベース２４ｃにおいて検索する。ここで、医療機器１１が未だダウンロードしていない最新の集計プログラムがプログラムデータベース２４ｃに格納されている場合には、ステップＳ１６に移行し、格納されていない場合には、ステップＳ１８に移行する。
【００６８】
医療機器１１が未だダウンロードしていない最新の集計プログラムがプログラムデータベース２４ｃに格納されている場合には、ステップＳ１６において、プログラム管理部８３ｃが、集計プログラム要求信号に含まれている送信元の医療機器を特定する情報に基づいて、検索された集計プログラムを送信元の医療用端末６０に返送する。ステップＳ１７において、医療用端末６０のプログラム要求部６４ｆが、検索された集計プログラムを受信し、ハードディスク６６に記録されている集計プログラムを更新する。
【００６９】
ステップＳ１８において、更新された集計プログラム又は従前の集計プログラムに基づいて、集計制御部６４ｇが、集計情報記録部６４ｅによってハードディスク６６に記録されている医療機器情報を収集し、集計結果データを生成する。また、ステップＳ１９において、集計制御部６４ｇが、集計結果データを、要求元の医療機器を特定する情報と共に、データセンター２０のＦＴＰサーバ２４に送信する。なお、集計結果は、画像処理部６４ｂによって表示部６２に表示され、オペレータによって確認される。
【００７０】
ステップＳ２０において、ＦＴＰサーバ２４の受信制御部８３ａが、集計結果データ及び要求元の医療機器を特定する情報を受信する。ステップＳ２１において、集計結果管理部５４ｂが、集計結果データを、要求元の医療機器を特定する情報に対応する設備管理情報と対応させて集計結果データベース２４ａの記録媒体に記録する。
【００７１】
ステップＳ２２において、医療用端末６０のプログラム要求部６４ｆが、入力部６１を用いたオペレータの指示、又は、設定された条件に従って、医療機器１１のための最新の概要点検プログラムを送信するように、要求元の医療機器を特定する情報を含む概要点検プログラム要求信号を、データセンター２０のＦＴＰサーバ２４に送信する。ステップＳ２３において、ＦＴＰサーバ２４の受信制御部８３ａが、概要点検プログラム要求信号を受信する。
【００７２】
次に、図７のステップＳ２４において、プログラム管理部８３ｃが、要求元の医療機器を特定する情報に基づいて、概要点検プログラム要求信号を送信した医療機器１１に対応する設備管理情報を検索する。
【００７３】
ステップＳ２５において、プログラム管理部８３ｃが、ステップＳ２４において検索した設備管理情報に基づいて、医療機器１１が未だダウンロードしていない最新の概要点検プログラムをプログラムデータベース２４ｃにおいて検索する。ここで、医療機器１１が未だダウンロードしていない最新の概要点検プログラムがプログラムデータベース２４ｃに格納されている場合には、ステップＳ２６に移行し、格納されていない場合には、ステップＳ２８に移行する。
【００７４】
医療機器１１が未だダウンロードしていない最新の概要点検プログラムがプログラムデータベース２４ｃに格納されている場合には、ステップＳ２６において、プログラム管理部８３ｃが、受信制御部８３ａによって受信された送信元の医療機器を特定する情報に基づいて、検索された概要点検プログラムを送信元の医療用端末６０に返送する。
【００７５】
ステップＳ２７において、医療用端末６０のプログラム要求部６４ｆが、検索された概要点検プログラムを受信し、ハードディスク６６に記録されている概要点検プログラムを更新する。
【００７６】
ステップＳ２８において、更新された概要点検プログラム又は従前の概要点検プログラムに基づいて、概要点検制御部６４ｈが、ハードディスク６６に記録されている集計結果データ及び過去の点検結果データの分析を行い、自己診断を行う。なお、概要点検の結果は、画像処理部６４ｂによって表示部６２に表示され、オペレータによって確認される。
【００７７】
次に、ステップＳ２９において、詳細点検を行うべきか否かが判定される。例えば、概要点検の結果から発見される異常が重大ではなく、医療用端末６０の再起動やフィルムの補充等を行えば解決する場合には、オペレータが、医療機器１１の再起動やフィルムの補充等を行い、ステップＳ３０において、概要点検制御部６４ｈが、概要点検の結果をハードディスク６６に記録し、自己診断の処理を終了する。
【００７８】
一方、例えば、放射線撮影装置において、概要点検の結果に「線量が低下している」のウォーニングが頻繁に発生し、その発生回数（頻度）が規定値よりも大きい等の重大な異常が発見された場合には、ステップＳ３１において、プログラム要求部６４ｆが、入力部６１を用いたオペレータの指示、又は、設定された条件に従って、医療機器１１のために最新の詳細点検プログラムを送信するように、要求元の医療機器を特定する情報と概要点検の結果とを含む詳細点検プログラム要求信号を、データセンター２０のＦＴＰサーバ２４に送信する。
【００７９】
ステップＳ３２において、ＦＴＰサーバ２４の受信制御部８３ａが、詳細点検プログラム要求信号を受信する。ステップＳ３３において、ＦＴＰサーバ２４のプログラム管理部８３ｃが、受信制御部８３ａによって受信された詳細点検プログラム要求信号に含まれている要求元の医療機器を特定する情報及び概要点検の結果に基づいて、詳細点検プログラム要求信号を送信した医療機器１１に対応する設備管理情報を検索する。
【００８０】
ステップＳ３４において、プログラム管理部８３ｃが、ステップＳ３３において検索された設備管理情報、及び、受信制御部８３ａによって受信された詳細点検プログラム要求信号に含まれている概要点検の結果に基づいて、医療機器１１が未だダウンロードしていない最新の詳細点検プログラムをプログラムデータベース２４ｃにおいて検索し、詳細点検プログラム要求信号に含まれている送信元の医療機器を特定する情報に基づいて、検索された詳細点検プログラムを送信元の医療用端末６０に返送する。ステップＳ３５において、医療用端末６０のプログラム要求部６４ｆが、検索された詳細点検プログラムを受信し、ハードディスク６６に記録させる。
【００８１】
ステップＳ３６において、検索された詳細点検プログラムに基づいて、詳細点検制御部６４ｉが、ハードディスク６６に記録されている集計結果、及び、過去の点検結果に基づいて分析を行うことにより、医療機器の自己診断を行う。例えば、放射線撮影装置において、「線量が低下している」のウォーニングの発生回数が規定値よりも大きいために詳細点検を行う場合には、放射線を発生させるために用いられた管電流値、管電圧値、主回路の電流値、及び、放射線の発生回数を分析することによって、管球が消耗している等の自己診断を行う。なお、詳細点検の結果は、画像処理部６４ｂによって表示部６２に表示され、オペレータによって確認される。
【００８２】
次に、ステップＳ３７において、異なる詳細点検をさらに行うべきか否かが判定される。例えば、概要点検の結果に基づいて不具合箇所を特定できる場合には、異なる詳細点検をさらに行う必要がないと判定され、サービスマンの手配等を促して、自己診断の処理を終了する。なお、サービスマンの手配は、詳細点検の結果をサービス会社に送信することによって自動的に行うようにしても良い。一方、概要点検の結果に基づいて不具合箇所を特定できない場合には、不具合箇所を特定できるまで、若しくは、所定の回数、ステップＳ３１〜Ｓ３７を繰り返す。その後、ステップＳ３８において、詳細点検制御部６４ｉが、詳細点検の結果をハードディスク６６に記録する。
【００８３】
本実施形態においては、概要点検の結果に異常がない場合や異常を容易に解決できる場合には、詳細点検を行わずに自己診断の処理を終了させることにより、医療機器の自己診断にかかる時間を短縮することができる。一方、概要点検の結果に重大な異常がある場合には、概要点検の結果に応じた詳細点検を行うことが可能となる。
【００８４】
また、医療用端末６０の制御の下で医療機器の点検を行っているので、点検結果の参照の際に医療用端末６０とデータセンター２０との間で通信を行う必要がなく、点検結果を迅速に参照することができる。さらに、医療用端末６０の起動時等において、その医療機器のための最新のプログラムが自動的に選択されてＦＴＰサーバ２４から医療用端末６０に送信されるので、オペレータが判断してプログラムを選択する必要がなくなり、オペレータの負担が軽減する。また、概要点検の結果に基づいて、詳細点検プログラムが自動的に選択されてＦＴＰサーバ２４から医療用端末６０に送信されるので、詳細点検の処理を行う操作が煩雑ではない。
【００８５】
図９は、本実施形態に係る医療機器メンテナンスシステムのプログラム生成における動作を示すフローチャートである。まず、ステップＳ４１において、分析サーバの集計結果収集部９３ａが、入力部９１を用いたオペレータの指示、又は、設定された条件に従って、記録している集計結果を送信するように、集計結果要求信号をＦＴＰサーバ２４に送信する。
【００８６】
ステップＳ４２において、ＦＴＰサーバ２４の受信制御部８３ａが、集計結果要求信号を受信する。ステップＳ４３において、集計結果管理部８３ｂが、受信制御部８３ａによって受信された集計結果要求信号に基づいて、集計結果データベース２４ａに記録されている集計結果データ、及び、各集計結果に対応する設備管理情報を、分析サーバ２５に返送する。
【００８７】
ステップＳ４４において、分析サーバ２５の集計結果収集部９３ａが、集計結果データベース２４ａに記録されている集計結果データ、及び、各集計結果に対応する設備管理情報を受信し、それらの情報をメモリ９４に一時的に記憶する。ステップＳ４５において、統計分析処理部９３ｂが、メモリ９４に記憶されている設備管理情報に基づいて、機器種別毎に、集計結果データに対して統計処理及び／又は分析処理を施すことにより、分析結果データを生成する。
【００８８】
次に、ステップＳ４６において、入力部９１を用いたオペレータの指示、又は、設定された条件に従って、プログラムの生成を手動で行うか自動で行うかが判定される。プログラムの生成を手動で行う場合には、ステップＳ４７に移行し、プログラムの生成を自動で行う場合には、ステップＳ５０に移行する。
【００８９】
プログラムの生成を手動で行う場合には、ステップＳ４７において、オペレータが、入力部９１を用いて、生成する集計プログラム、概要点検プログラム、及び、詳細点検プログラムを指定する。次に、ステップＳ４８において、集計プログラム生成部９３ｃが、入力部９１を用いたオペレータの指示に従って、最新の集計プログラムを生成し、ＦＴＰサーバ２４に送信する。また、ステップＳ４９において、点検プログラム生成部９３ｄが、入力部９１を用いたオペレータの指示に応答して、最新の概要点検プログラム及び詳細点検プログラムを生成し、ＦＴＰサーバ２４に送信する。
【００９０】
一方、プログラムの生成を自動で行う場合には、ステップＳ５０において、集計プログラム生成部９３ｃが、分析結果に基づいて、集計パターンを生成する。次に、ステップＳ５１において、集計プログラム生成部９３ｃが、集計パターンに基づいて、最新の集計プログラムを生成し、ＦＴＰサーバ２４に送信する。
【００９１】
ステップＳ５２において、点検プログラム生成部９３ｄが、分析結果に基づいて、概要点検パターン及び詳細点検パターンを生成する。次に、ステップＳ５３において、点検プログラム生成部９３ｄが、概要点検パターンに基づいて、最新の概要点検プログラムを生成し、詳細点検パターンに基づいて、最新の詳細点検プログラムを生成し、それらのプログラムをＦＴＰサーバ２４に送信する。
【００９２】
ステップＳ５４において、ＦＴＰサーバ２４の受信制御部８３ａが、最新の集計プログラム、概要点検プログラム、及び、詳細点検プログラムを受信する。ステップＳ５５において、プログラム管理部８３ｃが、プログラムデータベース２４ｃに記録されている集計プログラム、概要点検プログラム、及び、詳細点検プログラムを、受信制御部８３ａによって受信された最新の集計プログラム、概要点検プログラム、及び、詳細点検プログラムに更新する。
【産業上の利用可能性】
【００９３】
本発明は、医療機器のメンテナンスを遠隔的に行う医療機器メンテナンス方法及びシステムにおいて利用することが可能である。
【図面の簡単な説明】
【００９４】
【図１】本発明の一実施形態に係る医療機器メンテナンスシステムの構成を示す概略図である。
【図２】図１に示す医療機器１１を説明するための図である。
【図３】医療施設に設置されている撮影制御装置の構成を示すブロック図である。
【図４】データセンターに設置されているＦＴＰサーバの構成を示すブロック図である。
【図５】データセンターに設置されている分析サーバの構成を示すブロック図である。
【図６】本実施形態に係る医療機器メンテナンスシステムの医療データの保存における動作を示すフローチャートである。
【図７】本実施形態に係る医療機器メンテナンスシステムの自己診断における動作を示すフローチャート（前半）である。
【図８】本実施形態に係る医療機器メンテナンスシステムの自己診断における動作を示すフローチャート（後半）である。
【図９】本実施形態に係る医療機器メンテナンスシステムのプログラム生成における動作を示すフローチャートである。
【符号の説明】
【００９５】
１０  医療施設
１１、１２  医療機器
１３  ファイアウォール（ＦＷ）
１４  プリンタ
２０  データセンター
２１  認証サーバ
２１ａ  認証ＤＢ（データベース）
２２  ファイアウォール（ＦＷ）
２３  データベースサーバ
２３ａ  医療ＤＢ（データベース）
２４  ＦＴＰサーバ
２４ａ  集計結果ＤＢ（データベース）
２４ｂ  設備管理ＤＢ（データベース）
２４ｃ  プログラムＤＢ（データベース）
２５  分析サーバ
３０  ネットワーク
４０  撮像装置
４１  撮影位置昇降機構
４２  撮影台
４３  放射線発生部
４４  インタフェース
５０  画像読取装置
５１  レーザ光源
５２  光走査部
５３  フォトマルチプライヤ（光電子増倍管）
５４  増幅器
５５  Ａ／Ｄ変換器
５６  バーコードリーダ
５７  出力部
６０  医療用端末
６１、８１、９１  入力部
６２、８２、９２  表示部
６３  バーコードリーダ
６４、８３、９３  中央演算装置（ＣＰＵ）
６４ａ  撮影制御部
６４ｂ  画像処理部
６４ｃ  出力部
６４ｄ  送信制御部
６４ｅ  集計情報記録部
６４ｆ  プログラム要求部
６４ｇ  集計制御部
６４ｈ  概要点検制御部
６４ｉ  詳細点検制御部
６５、８４、９４  メモリ
６６、８５、９５  ハードディスク
６７、８６、９６  ハードディスク制御部
６８  ＤＶＤドライブ
６９、８７、９７  ネットワークインタフェース
７０、７１、８８、８９、９８  インタフェース
８３ａ  受信制御部
８３ｂ  集計結果管理部
８３ｃ  プログラム管理部
８３ｄ  送信制御部
９３ａ  集計結果収集部
９３ｂ  統計分析処理部
９３ｃ  集計プログラム生成部
９３ｄ  点検プログラム生成部
【図１】
2005322096.tif 000003
【図２】
2005322096.tif 000004
【図３】
2005322096.tif 000005
【図４】
2005322096.tif 000006
【図５】
2005322096.tif 000007
【図６】
2005322096.tif 000008
【図７】
2005322096.tif 000009
【図８】
2005322096.tif 000010
【図９】
2005322096.tif 000011